(57)【要約】【課題】  複数の映像の表示において、任意の映像を拡大表示する場合、画面構成の切換えを行うことで、それぞれの映像表示領域の位置やサイズを変え、ユーザにとって見やすい多分割画面を生成、表示すること。【解決手段】  多分割画面表示において、各映像を表示しつつ、同時に任意の映像の拡大表示を行うために、新たな多分割画面の生成を行う必要がある。拡大表示する映像は、ユーザが注視したい映像である。そこで、新たに生成する多分割画面では、拡大表示する映像の表示領域を大きくし、それ以外の映像の表示領域は小さくする。このような構成の多分割画面を生成することにより、注視したい領域の映像を拡大表示で確認すると同時に、その他の映像についても随時確認することが可能となる。【選択図】  図２
2008028876.tif 000002
【特許請求の範囲】
【請求項１】
複数の映像データが入力される入力手段と、
該複数の映像データを、それぞれ、表示手段の表示画面を分割して生成された領域の所定の領域に表示するように、多分割画面データを生成する多分割画面生成手段と、
該多分割画面生成手段で生成された多分割画面データを該表示手段に出力する出力手段と、
該複数の映像データのうち１つ以上の映像データを拡大する拡大手段と、
を備え、
該多分割画面生成手段は、該拡大手段で映像データが拡大された場合、拡大されていない場合に比べて、前記所定の領域を変えること、
を特徴とする映像データ処理装置。
【請求項２】
複数の映像を表示する多分割画面表示装置において、
ユーザの指定した１つ以上の任意映像を拡大表示する画面への切換える切換え手段と、
当該拡大表示映像、および、その他の各映像とを一画面に表示するよう表示手段に出力する出力手段と、
を備えることを特徴とする多分割画面表示装置。
【請求項３】
請求項２に記載の多分割画面表示装置であって、
上記切換え手段は、拡大表示を行う映像を選択するための選択ボタンを押すことで動作すること、
を特徴とする多分割画面表示装置。
【請求項４】
複数の映像を表示する多分割画面表示装置において、
自動的に１つ以上の任意映像を拡大表示する画面への切換える切換え手段と、
当該拡大表示映像、および、その他の各映像とを一画面に表示するよう表示手段に出力する出力手段と、
を備えることを特徴とする多分割画面表示装置。
【請求項５】
請求項３に記載の多分割画面表示装置であって、
上記切換え手段は、動き検知センサによるアラームをトリガとして動作すること、
を特徴とする多分割画面表示装置。
【請求項６】
請求項２または４に記載の多分割画面表示装置であって、
画面構成を切換えることにより、それぞれの映像表示領域の位置を変えること、
を特徴とする多分割画面表示装置。
【請求項７】
請求項２または４に記載の多分割画面表示装置であって、
画面構成を切換えることにより、それぞれの映像表示領域のサイズを変えること、
を特徴とする多分割画面表示装置。
【請求項８】
請求項２または４に記載の多分割画面表示装置であって、
拡大表示する映像を、その他の各映像よりも大きく表示すること、
を特徴とする多分割画面表示装置。
【請求項９】
請求項２または４に記載の多分割画面表示装置であって、
任意映像の任意領域をズームアップした映像を拡大表示すること、
を特徴とする多分割画面表示装置。
【請求項１０】
請求項２または４に記載の多分割画面表示装置であって、
各映像を撮像する複数の撮像手段を制御することにより、
任意領域のズームアップ映像を撮像し、当該ズームアップ映像を拡大表示すること、
を特徴とする多分割画面表示装置。
【請求項１１】
請求項９または１０に記載の多分割画面表示装置であって、
ズームアップする前の全体映像を同時に表示すること、
を特徴とする多分割画面表示装置。
【請求項１２】
請求項２または４に記載の多分割画面表示装置であって、
複数の映像の拡大表示を連続して行う場合、
当該拡大表示画面をスクロール表示で切換えること、
を特徴とする多分割画面表示装置。
【発明の詳細な説明】
【技術分野】
【０００１】
本発明は、複数の映像を表示する多分割画面表示システムに関する。
【背景技術】
【０００２】
該技術分野の背景技術として、たとえば、特開平７−７７９６５号公報（特許文献１）がある。該公報には、目的として「同一画面上で複数映像を分割表示させながら、且つ、その中の注視したい映像を拡大或いは等倍表示等することにより、細かく観察することを可能とする多分割画面用事装置を提供することを目的としている。」と記載されている（要約参照）。また、構成として「複数の映像を異なった領域に分けて表示する表示画面を有するディスプレイと、表示画面の分割数と同数備え、入力された映像を表示画面の所定の分割領域に表示するタイミングで前記ディスプレイに出力する映像処理ユニットと、入力される複数の映像を所定の処理ユニットに分配する入力映像分割手段と、映像処理ユニットをコントロールして、所望の分割領域において映像をズームアップ表示する表示制御手段と、を備えることを特徴とする多分割画面表示装置。」と記載されている（要約参照）。
【０００３】
【特許文献１】特開平７−７７９６５号公報
【発明の開示】
【発明が解決しようとする課題】
【０００４】
複数の映像の表示方法に関しては、種々のものが提案されている。
【０００５】
例えば、監視システムにおいては、複数の場所に設置された監視カメラで撮像された映像を、縮小して合成することにより多分割画面を生成し、複数箇所の映像の同一画面表示を実現している。また、任意の映像を選択し、画面全体で拡大表示を行うことで細部を確認することも可能である。しかし、画面全体で拡大表示を行うことで、その間、他の箇所の映像を確認することができなくなってしまう。この問題を解消する表示方法に関し、上記特開平７−７７９６５号公報に開示されている。該公報では、多分割画面において複数の映像を表示し、注視したい映像がある場合には、分割画面を維持したまま、任意の領域において拡大映像の表示を行っている。これにより、拡大映像の表示中であっても、他の映像の確認ができるようになっている。
【０００６】
上記特許文献１では、複数の映像の表示方法に関し、多分割画面において各映像を表示しつつ、分割画面の一領域で注視したい映像の拡大表示を行う技術が開示されている。例えば、４台のカメラＡ〜Ｄの映像を４分割画面で表示し、カメラＡ〜Ｃの映像を確認しながらカメラＤの映像を拡大表示する場合、その拡大映像の表示領域は、カメラＤの映像を表示している領域に限られる。
【０００７】
そこで、複数の映像の表示において、任意の映像を拡大表示する場合、画面構成の切換えを行うことで、それぞれの映像表示領域の位置やサイズを変え、ユーザにとって見やすい多分割画面を生成、表示することができると使い勝手が向上する。
【０００８】
本発明は、多分割画面を生成／表示する装置の使い勝手向上を目的とする。
【課題を解決するための手段】
【０００９】
上記目的は、特許請求項の範囲に記載の発明により達成できる。
【発明の効果】
【００１０】
本発明によれば、多分割画面を生成／表示する装置の使い勝手が向上する。
【００１１】
上記以外の課題、構成および効果は、以下の実施形態の説明により明らかにされる。
【発明を実施するための最良の形態】
【００１２】
以下、図面を用いて本発明の一実施の形態を説明する。
【実施例１】
【００１３】
図1は、本発明による複数の映像の表示方法の第１実施例に係る多分割画面表示システムを示すブロック図である。図１において、１＿１〜１＿ｎ（ｎ＝１、２、３、…）はｎ台のカメラを示している。また、２は映像選択部、３は映像処理部、４は多分割画面生成部、５はメモリ、６は表示部である。なお、メモリ５は、表示する多分割画面を格納するためのバッファである。
【００１４】
カメラ１＿１〜１＿ｎにより撮像された映像は、映像選択部２に入力され、表示する映像の選択を行う。選択された映像は、映像処理部３に入力され、それぞれの映像について、多分割画面における表示サイズへの変換を行う。映像合成部４では、表示サイズへ変換された各カメラ映像を、メモリ５に格納していくことで多分割画面を生成する。生成した多分割画面を表示部６に送信することで、多分割画面が表示される。
図２は、本発明の第１実施例に係る多分割画面表示システムを適用し、任意映像を拡大表示する一例を示す図である。図２において、７〜１０は、本実施例により生成される多分割画面の一例を示したものである。多分割画面７および８は、４台のカメラにより撮像された映像Ａ〜Ｄを、４分割画面を生成して表示する場合を、多分割画面９および１０は、９台のカメラにより撮像された映像Ａ〜Ｉを、９分割画面を生成して表示する場合を示している。
【００１５】
多分割画面７は、各カメラ映像を同じサイズで表示した４分割画面である。この状態で、映像Ａをもっと大きなサイズで見たいという場合には、ユーザは拡大表示映像選択ボタンを押すことで映像Ａを選択する。これをトリガとして、画面構成の切換えが行われる。まず、映像処理部３において、映像Ａ〜Ｄそれぞれに対し、新たに生成する多分割画面での表示サイズへの変換を行う。そして、変換された各映像を、多分割画面生成部４において、メモリ５に格納していくことで新しい多分割画面を生成し、これを表示部６に送信することにより、新たな多分割画面８が表示される。多分割画面８は、映像Ａを拡大表示することで、その映像をより詳細に見ることが可能となっている。さらに、映像Ａを拡大表示中であっても、映像Ｂ〜Ｄについては縮小表示を行うことにより、常にその映像を確認することができるようになっている。
【００１６】
また、複数の映像を拡大表示するような多分割画面を構成してもよい。例えば、多分割画面９は、各カメラ映像を同じサイズで表示した９分割画面であるが、映像ＡとＢを拡大して見たいという場合には、同様に画面構成の切換えを行うことで、新たな多分割画面１０を表示することが可能である。多分割画面１０は、映像ＡとＢを拡大表示することで、その映像をより詳細に見ることが可能となっている。さらに、映像ＣとＤについても縮小表示を行うことにより、常にその映像を確認することができるようになっている。
【実施例２】
【００１７】
実施例１では、多分割画面８および１０のように、任意映像を拡大して表示する例を示した。本実施例では、任意映像の任意領域をズームアップした映像を表示する例を示す。
【００１８】
図３は、本発明の第１実施例に係る多分割画面表示システムを適用し、任意映像の任意領域をズームアップして表示する一例を示す図である。図３において、７、１１、１２は、本実施例により生成される多分割画面の一例を示したものである。多分割画面７は、４台のカメラにより撮像された映像Ａ〜Ｄを、４分割画面を生成して表示する場合を示している。この時、映像Ａの上半分をズームアップして表示したいという場合、まず、映像処理部３において、映像Ａの上半分を切り出す。そして、切り出した映像Ａ'、および、映像Ｂ〜Ｄそれぞれに対し、新たに生成する多分割画面での表示サイズへの変換を行う。変換された各映像を、多分割画面生成部４において、メモリ５に格納していくことで新しい多分割画面を生成し、これを表示部６に送信することにより、新たな多分割画面１１が表示される。多分割画面１１は、映像Ａの上半分をズームアップして表示を行うことで、その映像をより詳細に見ることが可能となっている。さらに、映像Ｂ〜Ｄについても縮小表示を行うことにより、常にその映像を確認することができるようになっている。
【００１９】
なお、多分割画面１１において表示される映像Ａはズームアップ映像であるため、実際にカメラが撮像した領域の上半分だけが表示されていることになる。そこで、実際にカメラが撮像している映像も同時に表示する多分割画面１２のような構成に切換えてもよい。
【実施例３】
【００２０】
実施例２では、任意映像の任意領域をズームアップした映像を拡大表示する方法について示した。この方法では、ズームアップしたい領域をカメラ映像から切り出し、拡大表示するものである。この場合、入力されるカメラ映像の解像度は一定であるため、ズーム倍率を上げることで次第に荒い映像表示になってしまう。本実施例では、各カメラを制御し、任意の領域をズームアップした上で撮像を行うことで、解像度の高いズームアップ映像を取得し、これを表示する例を示す。
【００２１】
図４は、本発明による複数の映像の表示方法の第２実施例に係る多分割画面表示システムを示すブロック図である。図４は本発明の第１実施例のブロック図である図１と比較して、カメラ制御部１３を備える。カメラ制御部１３は、各カメラの向きやズームの制御を行う。
【００２２】
例えば、多分割画面１１のように、映像Ａの上半分をズームアップして表示したいという場合、カメラ制御部１３により、映像Ａを撮像しているカメラの向き、ズーム倍率を制御し、映像Ａの上半分をズームアップした映像を取得する。この映像を、映像選択部２で選択し、映像処理部３において拡大表示サイズへ変換し、メモリ５に格納する。この時、メモリ５に格納される映像は、第１実施例でのズームアップ映像に比べて高解像度の映像である。従って、本実施例により生成、表示されるズームアップ映像の方が、より鮮明な表示を実現できる。
【実施例４】
【００２３】
実施例２および３では、ユーザの指定した領域をズームアップして表示する方法について示したが、何らかの入力をトリガとして、自動ズームを行ってもよい。例えば、監視システムにおいては、動き検知と組み合わせることにより、動きのあった領域を自動でズーム表示するといった使用方法が挙げられる。
【００２４】
図５は、本発明による複数の映像の表示方法の第３実施例に係る多分割画面表示システムを示すブロック図である。図５は本発明の第２実施例のブロック図である図４と比較して、映像選択部２の前段に映像処理部１４を備える。
【００２５】
映像処理部１４では、各カメラ映像に対し、動き検知処理や、特定の人物や物体を検出するマッチング処理などを行う。この処理により、注目すべき映像の選択、そして、その映像内でも特に注目すべきところを決定し、その領域を自動でズームアップすることが可能となる。なお、ここでは映像処理部１４を、カメラの外部におく構成を示したが、各カメラにおいて同処理を行う構成にしてもよい。
【実施例５】
【００２６】
図６は、本発明の第４実施例に係る多分割画面表示システムを適用し、拡大画面をスクロール表示で切換える一例を示す図である。
【００２７】
図６ (ａ) は、４分割画面において映像Ａを拡大表示している状態から、映像Ｂの拡大表示画面へと切換える場合を示したものである。拡大表示する映像を切換える場合、このようにスクロール表示を行うことにより、ユーザにとって見やすい切換えを実現する。
【００２８】
また、図６ (b) は、9分割画面において映像ＡおよびＢを拡大表示している状態から、映像ＢおよびＣの拡大表示画面へと切換える場合を示したものである。ここでは、映像Ａ、映像Ｂ、映像Ｃ、の順に拡大表示を行った場合について示す。最初に選択された映像ＡおよびＢが表示されている画面に対し、後から選択された映像Ｃを新たに表示する。この場合、ユーザにとっては、選択された順に表示されることが望ましい。そこで、最初に選択された映像Ａの表示を止め、映像ＢおよびＣの拡大表示画面へと切換える。この切換えにおいても、スクロール表示を行うことにより、ユーザにとって見やすい切換えを実現する。
【００２９】
なお、本実施例では、横スクロールによる切換えを示したが、縦方向や斜め方向などのスクロール表示を行ってもよい。
【００３０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【産業上の利用可能性】
【００３１】
本発明は、監視システムなど、多分割画面表示を必要とするシステムへの利用が可能である。
【図面の簡単な説明】
【００３２】
【図１】本発明の第１実施例に係る多分割画面表示システムを示すブロック図である。
【図２】本発明の第１実施例に係る多分割画面表示システムを適用し、任意映像を拡大表示する一例を示す図である。
【図３】本発明の第１実施例に係る多分割画面表示システムを適用し、任意映像の任意領域をズームアップして表示する一例を示す図である。
【図４】本発明の第２実施例に係る多分割画面表示システムを示すブロック図である。
【図５】本発明の第３実施例に係る多分割画面表示システムを示すブロック図である。
【図６】本発明の第４実施例に係る多分割画面表示システムを適用し、拡大表示画面をスクロール表示で切換える一例を示す図である。
【符号の説明】
【００３３】
１_１〜１_ｎ  カメラ
２  映像選択部
３  映像処理部
４  多分割画面生成部
５  メモリ
６  表示部
７〜１２  多分割画面
１３  カメラ制御部
１４  映像処理部
【図１】
2008028876.tif 000003
【図２】
2008028876.tif 000004
【図３】
2008028876.tif 000005
【図４】
2008028876.tif 000006
【図５】
2008028876.tif 000007
【図６】
2008028876.tif 000008